(57)【特許請求の範囲】
【請求項１】
前枠の裏側下部に遊技盤の遊技領域に向けて球を発射する球発射装置が設置される一方、前記前枠の前側下部に遊技者による回動操作により前記球発射装置を作動する操作ハンドル装置が設置されたパチンコ機において、
前記球発射装置は、
往復回動可能に軸支された発射槌と、
該発射槌を往復回動させる発射作動カムを回転駆動する発射モータと、
前記発射槌を球発射方向に付勢する球発射用バネと、
該球発射用バネの弾発力を強弱変化するバネ力可変機構と、を有し、
前記操作ハンドル装置は、
前記前枠の前側下部のハンドル固定台の前側に設置された固定ハンドルと、
前記ハンドル固定台と固定ハンドルとの前後水平方向に回動自在に挿通支持された操作軸と、
前記固定ハンドルの前側位置で前記操作軸のハンドル軸部にスリーブ状のボスを嵌合して回転可能に連結されて遊技者により回動操作されるキャップ状の操作ハンドル体と、
前記操作軸の後端部に連結されて該操作軸と一体に回動し、その回動変位によって前記バネ力可変機構を強弱操作する操作カムと、
前記操作軸の前端部で操作ハンドル体の前面より突出して形成された調整軸部に対してトルク伝達可能にかつ軸方向の前後に移動可能に嵌挿にされた円筒形の連結部と、
前記操作ハンドル体の前面で前記連結部と一体に結合されて前面に遊技者が把持し得るつまみ部を形成した横向き略椀形状の調整体と、
前記操作軸の前記調整軸部と前記連結部との間に嵌挿されて操作軸に対して前記調整体を常に前記操作ハンドル体側に付勢するバネと、
前記操作ハンドル体の前側と前記調整体の後側との対向位置に形成されて、常態では前記バネの付勢力により操作ハンドル体と調整体をトルク伝達可能に接続すると共に前記バネの付勢力に抗して調整体を前方に移動させた状態で前記接続を絶ち得るクラッチ機構と、
前記操作ハンドル体と前記調整体に視認可能に形成されて前記球発射用バネの弾発力の強弱調整に対応する調整体のバネ力強弱回動方向を表示する表示部と、を有し、
前記バネの付勢力により前記操作ハンドル体と前記調整体とが前記クラッチ機構を介して結合した状態で、操作ハンドル体の回動操作により前記調整体と操作軸及び操作カムを一体に回動操作して、前記バネ力可変機構による前記球発射用バネの弾発力の強弱が調整でき、
一方、前記バネに抗して前記調整体を操作ハンドル体の前方に引出して前記クラッチ機構を解離した状態で、調整体と共に操作軸を回動操作して前記操作カムの回動変位により、前記バネ力可変機構による前記球発射用バネの弾発力の初期値条件の強弱が調整できるようにしたことを特徴とするパチンコ機。
【発明の詳細な説明】
【０００１】
【発明の属する技術分野】
この発明は、球発射装置を作動する操作ハンドル装置を備えた遊技機に関する。
【０００２】
【従来の技術】
従来、例えば、遊技機としてのパチンコ機において、遊技盤の遊技領域に向けて球を発射する球発射装置は、パチンコ機の木枠（本体枠）の前面に開閉可能に装着された前枠の下部の裏面側に組み付けられているのが一般的である。このような球発射装置において、発射モータを駆動源として回転する発射作動カムによって、発射槌が球発射用バネの弾発力に抗して所定位置まで後退された後、その発射槌が球発射用バネの弾発力の作用を受けて球打撃方向に前進される。そして、発射槌の前進動作によって球発射位置にある球が打撃され、その球が発射レールを及び案内レールに案内されて遊技盤の遊技領域に発射されるようになっている。
【０００３】
一方、前枠の下部の片側寄りには、操作ハンドル装置が装着されている。この操作ハンドル装置において、その固定ハンドル体に対し操作ハンドル体が、その中心部の操作軸と共に所定の操作角度範囲において回動操作可能に組み付けられている。そして、操作軸の軸回りに一体状に設けられた操作カムによって球発射用バネの弾発力が設定範囲内で加減されるようになっている。すなわち、操作ハンドル体の操作角度が大きくなるにしたがって球発射用バネの弾発力が強くなる。これに略比例して発射槌の打撃による、球の発射速度が速くなるようになっている。また、球発射用バネの製作、組み付けのバラツキや球発射用バネの弾発力の劣化等を考慮して、前枠の裏面側には、球発射用バネに対するバネ力可変機構を操作するバネ力調整ダイヤル装置が配設されている。そして、木枠に対し前枠を開いた状態において、バネ力調整ダイヤル装置の調整ダイヤルが回動操作されることで、球発射用バネの弾発力が設定範囲内で加減調整されるようになっている。
【０００４】
【発明が解決しようとする課題】
ところで、操作し易い操作ハンドル体の操作角度は遊技者にとって様々に異なる。また、バネ力調整ダイヤル装置による球発射用バネの弾発力の調整にもバラツキが生じたり、あるいは、調整不良となっていることがある。さらに、球発射用バネは、長期にわたる使用によってその弾発力が劣化する。このようなことから、次の（イ）、（ロ）、（ハ）等の不具合が生じる。
（イ）遊技盤の遊技領域の所望とする位置に対し球を発射する場合、遊技者にとって操作ハンドル体の操作角度が操作しづらい角度となることがある。
（ロ）操作ハンドル体の操作角度が小さい場合においても、球発射速度が速くなることがある。
（ハ）これとは逆に、操作ハンドル体の操作角度を最大にしたときでも、球の発射速度が遅くなることがあり、遊技盤の遊技領域の所望とする位置に球を発射できなくなることがある。前記した不具合が発生した場合、遊技者は、パチンコホールの店員に不具合を通知し、店員によって球発射用バネの弾発力の設定範囲を調整してもらわなければならないという煩わしさを感じる。また、遊技者は、不具合のあるパチンコ機から別のパチンコ機に移動することもり、これによって、パチンコ機の稼働率が低下して、ホール経営に不利益を与えることもある。
【０００５】
この発明の目的は、前記従来の問題点に鑑み、球発射用バネの弾発力の設定範囲を、操作ハンドル装置において、任意に調整することができ、遊技者にとって操作し易い操作ハンドル体の操作角度において遊技を行うことができる遊技機を提供することである。
【０００６】
【課題を解決するための手段】
前記目的を達成するために本発明は、前枠の裏側下部に遊技盤の遊技領域に向けて球を発射する球発射装置が設置される一方、前記前枠の前側下部に遊技者による回動操作により前記球発射装置を作動する操作ハンドル装置が設置されたパチンコ機において、
前記球発射装置は、
往復回動可能に軸支された発射槌と、
該発射槌を往復回動させる発射作動カムを回転駆動する発射モータと、
前記発射槌を球発射方向に付勢する球発射用バネと、
該球発射用バネの弾発力を強弱変化するバネ力可変機構と、を有し、
前記操作ハンドル装置は、
前記前枠の前側下部のハンドル固定台の前側に設置された固定ハンドルと、
前記ハンドル固定台と固定ハンドルとの前後水平方向に回動自在に挿通支持された操作軸と、
前記固定ハンドルの前側位置で前記操作軸のハンドル軸部にスリーブ状のボスを嵌合して回転可能に連結されて遊技者により回動操作されるキャップ状の操作ハンドル体と、
前記操作軸の後端部に連結されて該操作軸と一体に回動し、その回動変位によって前記バネ力可変機構を強弱操作する操作カムと、
前記操作軸の前端部で操作ハンドル体の前面より突出して形成された調整軸部に対してトルク伝達可能にかつ軸方向の前後に移動可能に嵌挿にされた円筒形の連結部と、
前記操作ハンドル体の前面で前記連結部と一体に結合されて前面に遊技者が把持し得るつまみ部を形成した横向き略椀形状の調整体と、
前記操作軸の前記調整軸部と前記連結部との間に嵌挿されて操作軸に対して前記調整体を常に前記操作ハンドル体側に付勢するバネと、
前記操作ハンドル体の前側と前記調整体の後側との対向位置に形成されて、常態では前記バネの付勢力により操作ハンドル体と調整体をトルク伝達可能に接続すると共に前記バネの付勢力に抗して調整体を前方に移動させた状態で前記接続を絶ち得るクラッチ機構と、
前記操作ハンドル体と前記調整体に視認可能に形成されて前記球発射用バネの弾発力の強弱調整に対応する調整体のバネ力強弱回動方向を表示する表示部と、を有し、
前記バネの付勢力により前記操作ハンドル体と前記調整体とが前記クラッチ機構を介して結合した状態で、操作ハンドル体の回動操作により前記調整体と操作軸及び操作カムを一体に回動操作して、前記バネ力可変機構による前記球発射用バネの弾発力の強弱が調整でき、
一方、前記バネに抗して前記調整体を操作ハンドル体の前方に引出して前記クラッチ機構を解離した状態で、調整体と共に操作軸を回動操作して前記操作カムの回動変位により、前記バネ力可変機構による前記球発射用バネの弾発力の初期値条件の強弱が調整できるようにしたパチンコ機を提供する。
したがって、球発射用バネの弾発力の設定範囲を調整する場合、遊技者によって操作可能な操作ハンドル装置において、調整体によって操作ハンドル体に対する操作軸の操作カムの初期姿勢が変化されることで、球発射用バネの弾発力の設定範囲が調整される。
【０００７】
また、調整体と共に、操作軸が回動され、操作ハンドル体に対する操作軸の操作カムの初期姿勢が変化されるため、球発射用バネの弾発力の設定範囲が調整される。その後、クラッチ機構によって、調整体と操作ハンドル体とがトルク伝達可能に結合されることで、球発射用バネの弾発力の設定範囲の調整が完了する。このようにして、クラッチ機構を外した状態で、調整体を回動操作することで、球発射用バネの弾発力の設定範囲を容易に調整することができる。
【０００８】
また、球発射用バネの弾発力の設定範囲は、操作ハンドル体と調整体との間に表示された表示部を視認することで明確に認識することができる。
【０００９】
【発明の実施の形態】
この発明の実施の形態を図１〜図１１にしたがって説明する。図１１において、パチンコ機１の木枠２の前面には前枠３が開閉可能に装着され、その前枠３の開口部には、ガラス枠７が開閉可能に装着されるとともに、ガラス枠７の下方に隣接して前板８が開閉可能に装着されている。また、前枠３の裏面側には、ベース枠（図示しない）を介して遊技盤４が着脱可能に装着されている。遊技盤４の前面の周縁部には案内レール５が装着され、その案内レール５の内側を遊技領域６とし、その遊技領域６がガラス枠７のガラスを通して視認可能となっている。なお、遊技領域６には図示はしないが各種の入賞装置、表示装置、風車器、誘導釘等が配設されている。また、案内レール５には図に向かって左側に球発射案内路が形成され、その球発射経路の下部には発射レール１１が配設されている。
【００１０】
前枠３の下部には前面プレート９が装着されている。図９と図１０に示すように、前面プレート９の裏面には、発射レール１１を通して球を遊技領域６に発射する球発射装置１０が装着されている。この球発射装置１０は、発射槌１４、球発射用バネ２０、バネ力可変機構２１及び発射モータ４０を備え、操作ハンドル装置５０によって作動されるようになっている。図９と図１０に示すように、前面プレート９の裏面の片側寄りには、発射槌１４がその下部近傍において槌軸１３を中心として回動可能に装着され、その発射槌１４の先端部１４ａによって発射レール１１の球発射位置にある球を打撃するようになっている。
【００１１】
また、発射槌１４には、球発射用バネ２０の一端部が掛け止めされるバネ掛け片１７と、作動片１５とがそれぞれ形成されている。この作動片１５の先端部には、ローラ１６が回転自在に組み付けられている。また、前面プレート９の裏面側には、ローラ１６の近傍に位置して発射モータ４０が装着され、その出力軸４１には、ローラ１６に係合しかつ発射槌１４を球発射用バネ２０の弾発力に抗して所定位置まで後退させる発射作動カム４２が設けられてる。
【００１２】
発射槌１４は、球発射用バネ２０とバネ力可変機構２１を介して操作ハンドル装置５０に連繋されている。図９と図１０に示すように、バネ力可変機構２１は、第１クランク２２、リンクロッド２５、第２クランク２６及びスライダ２９を備えている。第１クランク２２は、その下部において、前面プレート９の裏面側の図９に向かって左側に位置して支軸２８を中心として回動可能に組み付けられている。この第１クランク２２の中央部には、後述する操作ハンドル装置５０の操作軸９０に設けられた操作カム９５に対応するローラ２４が回転自在に組み付けられている。第１クランク２２の上部にはリンクロッド２５の一端部が回動可能に連結され、リンクロッド２５の他端部は、第２クランク２６の下部に回動可能に連結されている。
【００１３】
第２クランク２６は、その下部寄りおいて、前面プレート９の裏面側の図９に向かって右側に位置して支軸２７を中心として回動可能に組み付けられている。そして、第２クランク２６の上部には、スライダ２９がその一端部においてピン２８によって回動可能に連結されている。スライダ２９は、その他端部のスライドピン２９ａにおいて、前面プレート９の裏面に固定の固定板３２に形成された左右方向の案内溝３１に沿って移動可能に支持され、同スライダ２９の他端部には、バネ掛け部３０が形成されている。そして、発射槌１４のバネ掛け片１７とスライダ２９のバネ掛け部３０との間に跨って引張コイルスプリングよりなる球発射用バネ２０が張設されている。
【００１４】
図１０と図１１に示すように、前面プレート９の前側面の片側寄りには操作ハンドル装置５０が組み付けられている。図１と図２に示すように、操作ハンドル装置５０は、固定ハンドル体６１、操作ハンドル体７０、調整体８０、操作軸９０及び操作カム９５を備えている。図１と図３に示すように、ハンドル固定台４５は、前面プレート９の前側に一体状に突出され、その中心部には組付孔４６が形成されている。ハンドル固定台４５には、固定ハンドル体６１が回動不能に固定されている。この固定ハンドル体６１は、半球殻状に形成され、その後側面の中央部には、中心に軸孔６３を有する組付用ボス６２が突設されている。そして、固定ハンドル体６１は、その組付用ボス６２がハンドル固定台４５の組付孔４６に回り止めされて固定されている。
【００１５】
固定ハンドル体６１の軸孔６３には操作軸９０が回転可能にかつスナップリング９６によって軸方向には移動不能に嵌挿されている。この操作軸９０の後端部（図１に向かって右側）は、ハンドル固定台４５を貫通して前面プレート９の裏面から所定長さだけ突出されている。操作軸９０の突出部には操作カム９５が操作軸９０と一体となって回転可能に組み付けられている。この操作カム９５には、図２に向かって反時計方向に、かつ操作軸９０の中心からの距離がしだいに増大されたカム面９５ａが所定の角度範囲にわたって形成されている。そして、図９に示すように、操作軸９０の操作カム９５のカム面９５ａと、第１クランク２２のローラ２４とが当接した状態で、操作軸９０が所定の角度範囲において回動操作されることで、第１クランク２２、リンクロッド２５及び第２クランク２６を介してスライダ２９が案内溝３１に沿って左右方向に移動する。これによって、球発射用バネ２０が伸縮し、その弾発力が設定範囲内において変化するようになっている。
【００１６】
操作軸９０の前端（図１に向かって左側）は、固定ハンドル体６１より所定長さだけ前方に延出されている。そして、操作軸９０の延出部にはハンドル軸部９０ａと、そのハンドル軸部９０ａの先端に位置する小径の調整軸部９０ｂとがそれぞれ同軸上に形成されている。この操作軸９０のハンドル軸部９０ａには、操作ハンドル体７０が回動可能に組み付けられている。すなわち、操作ハンドル体７０は、固定ハンドル体６１の前端部の外径と略同径で連続し、かつ前側が前面板７５によって塞がれた殻状に形成されている。さらに、操作ハンドル体７０の前面板７５内面の中心部にはボス７１が突設され、そのボス７１の中心部には、前面板７５に開口する大径の嵌合孔部７２ａと、ボス７１の先端面に開口しかつ操作軸９０のハンドル軸部９０ａが回動可能に嵌挿される小径の軸孔部７２ｂとが同一中心線上に連通して貫設されている。また、図２に示すように、操作ハンドル体７０の外周面には、遊技者の指が掛けられる複数の操作用突部７３が適宜に突設されている。
【００１７】
図１に示すように、操作軸９０の調整軸部９０ｂと操作ハンドル体７０の間には、操作ハンドル体７０に対する操作軸９０の操作カム９５の初期姿勢を変化させて球発射用バネ２０の弾発力の設定範囲を調整する調整体８０が、バネ１００とクラッチ機構１１０を介して装着されている。
【００１８】
この実施の形態において、調整体８０は、操作ハンドル体７０の前面板７５の前側に連続する略椀形状に形成され、その内面の略中央部には、連結部８１と、その連結部８１の外周に所定の隙間を隔てたストッパ筒部８２とがそれぞれ突設されている。連結部８１は、操作ハンドル体７０の前面板７５の嵌合孔部７２ａに軸方向に移動可能に嵌合する外径寸法をもって形成され、その内部にはバネ室が形成されている。連結部８１のバネ室には、同連結部８１の端壁部８１ａを通して操作軸９０の調整軸部９０ｂが、トルク伝達可能にかつ軸方向には移動可能に嵌挿されている。そして、バネ室には、調整軸部９０ｂ先端の鍔部９１と連結部８１の端壁部８１ａの内面との間において圧縮コイルスプリングよりなるバネ１００が配設されている。そして、調整体８０は、バネ１００の弾発力によって、操作ハンドル体７０の前面板７５に向けて引き付けられ、そのストッパ筒部８２の先端面が操作ハンドル体７０の前面板７５に当接するハンドル操作位置に保持されるようになっている。なお、調整体８０と操作軸９０の調整軸部９０ｂとをトルク伝達可能とするために、例えば、連結部８１の端壁部８１ａと操作軸９０の調整軸部９０ｂとを非円形で嵌合してもよく、また、連結部８１のバネ室の内周壁面と調整軸部９０ｂの鍔部９１とを非円形で嵌合してもよい。
【００１９】
図１に示すように、調整体８０の周縁部先端と操作ハンドル体７０の前面板７５の周縁部には、操作軸９０の軸方向に移動されることで係脱可能に係合する噛合歯１１１、１１２がそれぞれ形成され、これら噛合歯１１１、１１２によってクラッチ機構１１０が構成されている。また、係脱可能に係合する噛合歯１１１、１１２としては、調整体８０の周縁部先端と操作ハンドル体７０の前面板７５の周縁部との嵌合部分に対し設けることもでき、調整体８０の周縁部先端と操作ハンドル体７０の前面板７５の周縁部との対向面に設けることもできる。
【００２０】
また、図１と図２に示すように、調整体８０の外側面には、つまみ部８５が一体状に形成されている。そして、つまみ部８５を把持した状態で、バネ１００の弾発力に抗して操作軸９０の調整軸部９０ｂに沿って調整体８０が引き出されることで、クラッチ機構１１０の係合が外れる。この状態において、調整体８０と共に操作軸９０が回動操作されることで、操作ハンドル体７０に対する操作軸９０の操作カム９５の初期姿勢が変化され、球発射用バネ２０の弾発力の設定範囲が調整されるようになっている。この実施の形態において、調整体８０による操作軸９０の操作カム９５の初期姿勢は略３０度の範囲において調整可能となっている。また、操作ハンドル体７０の回動操作範囲は、操作性を考慮して１２０度前後に設定されることが望ましい。このようなことから、操作軸９０の操作カム９５には、図２に向かって反時計方向に、操作軸９０の中心からの距離がしだいに増大されたカム面９５ａが略１５０度前後の角度範囲にわたって形成されている。
【００２１】
図２に示すように、操作ハンドル体７０と調整体８０との相互には球発射用バネ２０の弾発力の設定範囲を表示する表示部が視認可能に表示されている。この実施の形態において、操作ハンドル体７０の前面板７５の周縁部には表示部としての指針表示部７４が表示され、調整体８０の周縁部表面には、表示部としての目盛り表示部８３が「強」「中」「弱」の表示によって表示されている。すなわち、図４に示すように、指針表示部７４が目盛り表示部８３の「強」を示している場合には、球発射用バネ２０の弾発力が強く調整される。これとは逆に、図５に示すように、指針表示部７４が目盛り表示部８３の「弱」を示している場合には、球発射用バネ２０の弾発力が弱く調整され、図２に示すように、指針表示部７４が目盛り表示部８３の「中」を示している場合には、球発射用バネ２０の弾発力が中間的な強さに調整されるようになっている。
【００２２】
なお、操作ハンドル体７０は、合成樹脂の射出成形によって一体成形され、その表面には真空蒸着や印刷等によって金属の導電皮膜が設けられている。これによって、操作ハンドル体７０は、その軸孔７２において操作軸９０と電気的に接続されている。そして、操作ハンドル体７０に遊技者の指が触れ、この状態で生じる静電容量の変化が操作軸９０及び図示しない端子板、ケーブルを通して玉発射回路に電気的に伝わり、かつ操作軸９０の回動によって図示しない起動スイッチがオンしたときにのみ、発射モータ４０が起動するようになっている。また、この実施の形態において、図９と図１０に示すように、第２クランク２６の支軸２７は、前面プレート９裏面に配設されたバネ力調整ダイヤル装置３３の可動盤３５に組み付けられている。そして、木枠２に対し前枠３を前方に開いた状態において、バネ力調整ダイヤル装置３３の調整ダイヤル３４によって可動盤３５が左右方向に移動調整されることで、その可動盤３５とともに第２クランク２６の支軸２７が変位され、これによって球発射用バネ２０の弾発力が設定範囲内で調整されるようになっている。
【００２３】
この実施の形態に係る遊技機は上述したように構成される。したがって、例えば、図６に示すように、指針表示部７４が目盛り表示部８３の「中」を示している場合には、それを視認することで、球発射用バネ２０の弾発力が中間的な強さに調整されていることが明確となる。この状態において、操作ハンドル体７０の操作用突部７３に遊技者の指が掛けられ、操作ハンドル体７０が図６の実線に示す位置から鎖線に示す位置まで時計方向に略１２０度の範囲において回動操作される。すると、操作ハンドル体７０の操作力がクラッチ機構１１０、調整体８０を介して操作軸９０に伝達され、操作軸９０が同方向にかつ同角度だけ回動する。この操作軸９０の回動によって、操作軸９０と共に操作カム９５も回動する一方、図示しない起動スイッチがオンする。これによって、発射モータ４０が起動する。
【００２４】
発射モータ４０を起動すると、その出力軸４１の発射作動カム４２によって、一旦、発射槌１４が槌軸１３を中心としかつ球発射用バネ２０の弾発力に抗して所定位置まで後退された後、その発射槌１４が球発射用バネ２０の弾発力の作用を受けて球打撃方向に前進される。そして、発射槌１４の前進動作によって球発射位置にある球が打撃され、その球が発射レール１１を及び案内レール５に案内されて遊技盤４の遊技領域６に発射される。この際、操作ハンドル体７０の回動角度が大きく操作されたり、あるいは小さく操作されると、これに基づいて、操作軸９０が回動する。すると、操作カム９５のカム面９５ａが第１クランク２２のローラ２４とが当接した状態で、第１クランク２２、リンクロッド２５及び第２クランク２６を介してスライダ２９が案内溝３１に沿って左右方向に移動する。これによって、球発射用バネ２０が伸縮し、その弾発力が設定範囲内において増減し、玉の発射速度が変化される。すなわち、操作ハンドル体７０の操作角度が大きくなるにしたがって球発射用バネ２０の弾発力が強くなる。これに略比例して発射槌１４の打撃による、球の発射速度が速くなる。
【００２５】
ところで、操作し易い操作ハンドル体７０の操作角度は遊技者にとって様々に異なる。また、球発射用バネ２０の弾発力のバラツキや、あるいは、球発射用バネ２０の長期にわたる使用によってその弾発力が劣化する場合がある。このようなことから、遊技盤４の遊技領域６の所望とする位置に対し球を発射する場合、遊技者にとって操作ハンドル体７０の操作角度が操作しづらい角度となることがある。また、操作ハンドル体７０の操作角度が小さい場合においても、球発射速度が速くなることがある。これとは逆に、操作ハンドル体７０の操作角度を最大にしたときでも、球の発射速度が遅くなることがり、遊技盤４の遊技領域６の所望とする位置に球を発射できなくなることがある。
【００２６】
前記した不具合が発生した場合、遊技者は、操作ハンドル装置５０の調整体８０を回動操作することで、前記不具合に対処することができる。例えば、操作ハンドル体７０の指針表示部７４が調整体８０の目盛り表示部８３の「中」を示す通常状態から、球発射用バネ２０の弾発力の設定範囲を強く調整する場合、まず、遊技者は、調整体８０を、バネ１００の弾発力に抗して操作軸９０の調整軸部９０ｂに沿って引き出す。すると、図３に示すように、調整体８０と操作ハンドル体７０との間のクラッチ機構１１０をなす噛合歯１１１、１１２の係合が外れる。この状態において、調整体８０と共に操作軸９０が左右方向に回動操作可能となる。
【００２７】
ここで、図７の実線に示すように、操作ハンドル体７０の指針表示部７４が調整体８０の目盛り表示部８３の「強」を示す位置まで、調整体８０が右方に略１５度だけ回動操作される。すると、操作ハンドル体７０に対する操作軸９０の操作カム９５の初期姿勢が変化され、球発射用バネ２０の弾発力の設定範囲が強く調整される。その後、調整体８０を解放すると、調整体８０がバネの弾発力によって操作ハンドル体７０に向けて引き付けられる。これによって、クラッチ機構１１０が係合し、調整体８０と操作ハンドル体７０とがトルク伝達可能に結合され、球発射用バネ２０の弾発力の設定範囲の調整が完了する。この状態において、操作ハンドル体７０が図７の実線に示す位置から鎖線に示す位置まで時計方向に略１２０度の範囲において回動操作される。
【００２８】
また、操作ハンドル体７０の指針表示部７４が調整体８０の目盛り表示部８３の「中」を示す通常状態から、球発射用バネ２０の弾発力の設定範囲を弱く調整する場合、まず、前記したように、遊技者は、調整体８０を、バネ１００の弾発力に抗して操作軸９０の調整軸部９０ｂに沿って引き出し、クラッチ機構１１０の係合を外す。その後、図８に示すように、操作ハンドル体７０の指針表示部７４が調整体８０の目盛り表示部８３の「弱」を示す位置まで、調整体８０が左方に略１５度だけ回動操作する。すると、操作ハンドル体７０に対する操作軸９０の操作カム９５の初期姿勢が変化され、球発射用バネ２０の弾発力の設定範囲が弱く調整される。この状態において、操作ハンドル体７０が図８の実線に示す位置から鎖線に示す位置まで時計方向に略１２０度の範囲において回動操作される。
【００２９】
前記したようにして、操作ハンドル装置５０において、その調整体８０を回動操作することで、球発射用バネ２０の弾発力の設定範囲を容易にかつ任意に調整することができる。これによって遊技者にとって操作し易い操作ハンドル体７０の操作角度においてパチンコ遊技を行うことができる。このため、従来と異なり、パチンコホールの店員に不具合を通知し、店員によって球発射用バネ２０の弾発力の設定範囲を調整してもらわなければならないという煩わしさを解消することができる。すなわち、木枠２の前側に前枠３を開放した状態で、その前枠３の裏面側のバネ力調整ダイヤル装置３３の調整ダイヤル３４を回動操作して球発射用バネ２０の弾発力の設定範囲を調整する煩わしさを解消することができる。
【００３０】
なお、この発明は前記実施の形態に限定するものではない。例えば、前記実施の形態において、前面プレート９の前側にハンドル固定台４５が一体に形成され、そのハンドル固定台４５に対し、固定ハンドル体６１が回動不能に組み付けられた構造のものを例示したが、これに限定するものではない。例えば、前面プレート９とは別体にハンドル固定台４５を形成してもよく、前枠の下部前面に対し、前面プレート９を設けることなく、直接的にハンドル固定台４５を組み付けることもできる。また、ハンドル固定台４５と固定ハンドル体６１とを１部品によって一体成形することもできる。また、前面プレート９の裏面側に配設されたバネ力調整ダイヤル装置３３は必ずしも設ける必要性はなく、例えば、バネ力可変機構２１の第２クランク２６の支軸２７を前面プレート９の裏面に対し左右方向に移動不能に組み付けてもよい。
【００３１】
【発明の効果】
以上述べたように、この発明によれば、球発射用バネの弾発力の設定範囲を、操作ハンドル装置において、任意に調整することができる。これによって、遊技者にとって操作し易い操作ハンドル体の操作角度において遊技を行うことができるため、従来と異なり、パチンコホールの店員に不具合を通知し、店員によって球発射用バネの弾発力の設定範囲を調整してもらわなければならないという煩わしさを解消することができる。
【図面の簡単な説明】
【図１】この発明の実施の形態の操作ハンドル装置を示す側断面図である。
【図２】同じく操作ハンドル装置を示す正面図である。
【図３】同じく操作ハンドル装置の操作ハンドル体と調整体と間のクラッチ機構を外した状態を示す作用説明図である。
【図４】同じく調整体によって球発射用バネの弾発力の設定範囲が強く調整された状態を示す操作ハンドル装置の正面図である。
【図５】同じく調整体によって球発射用バネの弾発力の設定範囲が弱く調整された状態を示す操作ハンドル装置の正面図である。
【図６】同じく調整体によって球発射用バネの弾発力が中間的な強さに調整された状態における操作ハンドル体の回動操作範囲を示す作用説明図である。
【図７】同じく調整体によって球発射用バネの弾発力の設定範囲が強く調整された状態における操作ハンドル体の回動操作範囲を示す作用説明図である。
【図８】同じく調整体によって球発射用バネの弾発力の設定範囲が弱く調整された状態における操作ハンドル体の回動操作範囲を示す作用説明図である。
【図９】同じく球発射装置の発射槌、球発射用バネ、バネ力可変機構、操作ハンドル装置の操作軸及び操作カムの組み付け関係を示す説明図である。
【図１０】同じく球発射装置と操作ハンドル装置との組み付け関係を一部分離して示す斜視図である。
【図１１】同じく前側に操作ハンドル装置が組み付けられたパチンコ機全体を示す正面図である。
【符号の説明】
１ パチンコ機（遊技機）
３ 前枠
４ 遊技盤
６ 遊技領域
１０ 球発射装置
１４ 発射槌
２０ 球発射用バネ
２１ バネ力可変機構
４０ 発射モータ
４２ 発射作動カム
４５ ハンドル固定台
５０ 操作ハンドル装置
６１ 固定ハンドル
７０ 操作ハンドル体
７１ ボス
７４，８３ 表示部
８０ 調整体
８１ 連結部
８５ つまみ部
９０ 操作軸
９０ａ ハンドル軸部
９０ｂ 調整軸部
９５ 操作カム
１００ バネ
１１０ クラッチ機構
【図１】
0004418938.tif 000002
【図２】
0004418938.tif 000003
【図３】
0004418938.tif 000004
【図４】
0004418938.tif 000005
【図５】
0004418938.tif 000006
【図６】
0004418938.tif 000007
【図７】
0004418938.tif 000008
【図８】
0004418938.tif 000009
【図９】
0004418938.tif 000010
【図１０】
0004418938.tif 000011
【図１１】
0004418938.tif 000012